(57)【特許請求の範囲】
【請求項１】
３次元表示用の映像信号であるか２次元表示用の映像信号であるかを示す識別子を含む映像信号を受信し、前記映像信号を２次元表示または３次元表示可能に処理する信号処理部と、
３次元表示用の映像信号であることを示す前記識別子を検出した場合に自動的に３次元表示とする第１設定と、前記識別子に関わらず３次元表示用の映像信号と２次元表示用の映像信号とを２次元表示とする第２設定と、３次元表示用の映像信号であることを示す前記識別子を検出した場合に３次元表示することを選択可能な表示がされる第３設定と、が可能な表示方式の自動切換設定に従い前記信号処理部を制御する設定部と、を備え、
前記設定部は、前記第１設定でユーザ操作に応じて表示方式が２次元表示に切換えられた場合に前記番組が終了するまで前記識別子に関わらず２次元表示をし、前記番組が終了した後、前記自動切換設定における前記第１設定に従った表示方式に戻すように構成されている映像処理装置。
【請求項２】
前記設定部は、前記第１設定、前記第２設定、または、前記第３設定をユーザ操作に応じて選択可能とする選択手段を備える請求項１の映像処理装置。
【請求項３】
前記設定部は、前記第１設定、または、前記第２設定および前記第３設定のいずれか一方をユーザ操作に応じて選択可能とする選択手段を備える請求項１記載の映像処理装置。
【請求項４】
ＯＳＤ信号を生成するＯＳＤ信号生成部と、
前記ＯＳＤ信号生成部から出力された信号と前記信号処理部から出力された信号とから表示する画像を生成するグラフィック処理部と、をさらに備え、
前記設定部は、３次元表示用の映像信号を２次元表示している際に、前記ＯＳＤ信号生成部を制御してその旨を表示するように構成されている請求項１乃至請求項３のいずれか１項記載の映像処理装置。
【請求項５】
前記信号処理部から出力された映像信号を表示する映像表示部をさらに備えた請求項１乃至請求項４のいずれか１項記載の映像処理装置。
【請求項６】
３次元表示用の映像信号であるか２次元表示用の映像信号であるかを示す識別子を含む映像信号を受信し、
３次元表示用の映像信号であることを示す前記識別子を検出した場合に自動的に３次元表示とする第１設定と、前記識別子に関わらず３次元表示用の映像信号と２次元表示用の映像信号とを２次元表示とする第２設定と、３次元表示用の映像信号であることを示す前記識別子を検出した場合に３次元表示することを選択可能な表示がされる第３設定と、が可能な表示方式の自動切換設定に従い信号処理を行い、
前記第１設定でユーザ操作に応じて表示方式が２次元表示に切換えられた場合に前記番組が終了するまで前記識別子に関わらず２次元表示をし、前記番組が終了した後、前記自動切換設定における前記第１設定に従った表示方式に戻す映像処理方法。
【発明の詳細な説明】
【技術分野】
【０００１】
本発明の実施形態は、映像処理装置および映像処理方法に関する。
【背景技術】
【０００２】
左眼用の画像と右眼用の画像とを左眼と右眼とでそれぞれ見えるようにして、３次元映像を視聴可能とする複数の技術が提案されている。例えば３次元用の眼鏡を用いる場合には、画面に左眼用の画像を表示するときには眼鏡の右眼側の液晶レンズを遮光し、画面に左眼用の画像を表示するときには眼鏡の左眼側の液晶レンズを遮光して、３次元映像を視聴可能としている。
【０００３】
また、３次元の動画を記録・伝送する方式には「サイド・バイ・サイド」方式と、「ライン・バイ・ライン」方式と、「トップ・アンド・ボトム」方式等が提案されている。これらのうちの「サイド・バイ・サイド」方式では、画像の横幅だけをオリジナル画像の２分の１に圧縮して、左右の視点からみた２枚の画像を横に並べて伝送される。「サイド・バイ・サイド」方式で伝送された画像は、受信装置側で横幅を２倍に伸ばして、右眼用と左眼用との２枚の画像を得ることが出来る。
【０００４】
「トップ・アンド・ボトム」方式では、画像の縦幅だけをオリジナルの画像の２分の１に圧縮して、左右の視点からみた２枚の画像を縦に並べて伝送される。「トップ・アンド・ボトム」方式で伝送された画像は、受信装置側で縦幅を２倍に伸ばして、右眼用と左眼用との２枚の画像を得ることが出来る。
【０００５】
近年、伝送されたコンテンツが３次元表示用の映像信号であるか２次元表示用の映像信号であるかを示す識別子を用いて、３次元映像表示と２次元映像表示とを切り替えて表示する映像受信装置の実用化が検討されている。
【先行技術文献】
【特許文献】
【０００６】
【特許文献１】特開２００６−１２１５５３号公報
【発明の概要】
【発明が解決しようとする課題】
【０００７】
３次元表示あるいは２次元表示を行うように映像受信装置を設定していた場合であっても、視聴者や、視聴する番組内容に応じて３次元表示と２次元表示との表示方式を切り換えることが想定される。
【０００８】
例えば、放送番組を視聴していると、本編の合間にコマーシャル映像が表示される。例えば、放送番組が３次元映像で伝送され、コマーシャル映像が２次元映像で伝送されている場合に、映像受信装置において３次元表示するように設定した場合、３次元映像と２次元映像とを交互に視聴することにより視聴者が快適に視聴することが妨げられる場合が想定される。また、子供が３次元映像を視聴することを回避するために、３次元表示から２次元表示へと切り替える必要が生じ得る。
【０００９】
本発明は、上記事情を鑑みて成されたものであって、視聴者の意図を尊重した３次元表示と２次元表示との切り替えを実現し、より使い勝手のよい映像処理装置および表示処理方法を提供することを目的とする。
【課題を解決するための手段】
【００１０】
実施形態によれば、３次元表示用の映像信号であるか２次元表示用の映像信号であるかを示す識別子を含む映像信号を受信し、前記映像信号を２次元表示または３次元表示可能に処理する信号処理部と、３次元表示用の映像信号であることを示す前記識別子を検出した場合に自動的に３次元表示とする第１設定と、前記識別子に関わらず３次元表示用の映像信号と２次元表示用の映像信号とを２次元表示とする第２設定と、３次元表示用の映像信号であることを示す前記識別子を検出した場合に３次元表示することを選択可能な表示がされる第３設定と、が可能な表示方式の自動切換設定に従い前記信号処理部を制御する設定部と、を備え、前記設定部は、前記第１設定でユーザ操作に応じて表示方式が２次元表示に切換えられた場合に前記番組が終了するまで前記識別子に関わらず２次元表示をし、前記番組が終了した後、前記自動切換設定における前記第１設定に従った表示方式に戻すように構成されている映像処理装置が提供される。
【図面の簡単な説明】
【００１１】
【図１】実施形態の映像受信装置の外観と３Ｄ眼鏡との一構成例を概略的に示す図である。
【図２】実施形態の映像受信装置の信号処理系の一構成例を示すブロック図である。
【図３】実施形態の映像受信装置のリモートコントローラの一例について説明するための図である。
【図４】実施形態の映像受信装置の３Ｄ設定画面の一例を示す図である。
【図５】実施形態の映像受信装置の３Ｄ自動切換画面の一例を示す図である。
【図６】実施形態の映像受信装置の３Ｄ自動切換画面の一例を示す図である。
【図７】実施形態の映像受信装置の３Ｄメニュー画面の一例を示す図である。
【図８】実施形態の映像受信装置の３次元表示と２次元表示との切換動作の一例を説明するためのフローチャートである。
【発明を実施するための形態】
【００１２】
以下、実施形態の映像受信装置および表示方式切換方法について、図面を参照して説明する。  
図１に、本実施形態に係る映像受信装置の外観と、３次元映像を視聴する際に用いる３Ｄ眼鏡との一構成例を概略的に示す。なお、本実施形態の映像受信装置で受信される映像信号は、放送信号、ＤＶＤ等の記録媒体からの供給されるコンテンツ、ネットワークを介して供給されるコンテンツの映像信号を含む。
【００１３】
左眼用映像と右眼用映像とがフレーム毎に交互に映像受信装置１００で表示される例について説明する。なお、左眼用映像の信号と右眼用映像の信号とは、外部から送られて来るものであっても、また、テレビジョン受信装置の内部で２次元表示用映像信号から擬似的に生成されるものであってもよい。
【００１４】
映像受信装置１００は、現在表示されている映像が、右眼用映像と左目用映像のどちらであるかを示す左右識別情報を出力する発信部１０２を有している。左右識別情報の搬送媒体は、有線、電波あるいは赤外線のいずれであってもよい。３Ｄ眼鏡２００は、受信部２０２を有し、この受信部２０２は発信部１０２から左右識別情報を受信し、左と右との液晶眼鏡のシャッター動作を制御し表示された左右映像に同期させる。これにより視聴者は、右眼用映像を右眼で左眼用映像を左眼で観察し、立体映像を知覚することができる。
【００１５】
図２は、上記映像受信装置１００の主要な信号処理系を示している。  
本実施形態の映像受信装置１００は、３次元表示用の映像信号であるか２次元表示用の映像信号であるかを示す識別子を含む映像信号を２次元表示および３次元表示可能に処理する信号処理部と、３次元表示用の映像信号であるか２次元用の映像信号であるかを示す映像信号の識別子を検出し、３次元表示用の映像信号であることを示す識別子が検出された場合に自動的に３次元表示とする設定と、識別子に関わらず３次元表示用の映像信号および２次元表示用の映像信号を２次元表示とする設定とが可能な表示方式の自動切換設定に従い信号処理部を制御する３次元設定部を含む制御部と、を備えている。
【００１６】
映像受信装置１００は、受信手段として、ＢＳ／ＣＳデジタル放送受信用のアンテナ１０３と、衛星デジタル放送用のチューナ１０５と、地上デジタル放送受信用のアンテナ１０８と、地上デジタル放送用のチューナ１１０と、を備えている。すなわち、ＢＳ／ＣＳデジタル放送受信用のアンテナ１０３で受信した衛星デジタルテレビジョン放送信号は、入力端子１０４を介して衛星デジタル放送用のチューナ１０５に供給されることにより、所望のチャンネルの放送信号が選局される。
【００１７】
チューナ１０５で選局された放送信号は、ＰＳＫ（Phase Shift Keying）復調器１０６に供給されて、デジタルの映像信号及び音声信号に復調された後、信号処理部１０７に出力される。
【００１８】
また、地上デジタル放送受信用のアンテナ１０８で受信した地上デジタルテレビジョン放送信号は、入力端子１０９を介して地上デジタル放送用のチューナ１１０に供給されることにより、所望のチャンネルの放送信号が選局される。
【００１９】
チューナ１１０で選局された放送信号は、ＯＦＤＭ（Orthogonal Frequency Division Multiplexing）復調器１１１に供給されて、デジタルの映像信号及び音声信号に復調された後、信号処理部１０７に出力される。
【００２０】
また地上波アナログ信号を受信するアナログチューナ１１８も設けられている。アナログチューナ１１８で受信された信号は、アナログ復調器１１９で復調され信号処理部１０７に出力される。
【００２１】
また、外部入力端子１０１を介して、３次元表示用の映像信号であるか２次元表示用の映像信号であるかを示す識別子を含むデジタルあるいはアナログの映像信号および音声信号が外部機器から信号処理部１０７へ入力可能である。
【００２２】
ここで信号処理部１０７は、ＰＳＫ復調器１０６から供給されたデジタルの映像信号及び音声信号と、ＯＦＤＭ復調器１１１から供給されたデジタルの映像信号及び音声信号と、アナログ復調器１１９から供給された映像信号及び音声信号と、さらにライン入力端子からの映像信号及び音声信号とに対して、選択的に所定のデジタル信号処理を施し、グラフィック処理部１１２及び音声処理部１１３に出力している。
【００２３】
信号処理部１０７は、後述する制御部１２１からの制御信号に従って、入力された映像信号および音声信号に対して、左眼用映像と右眼用映像とを表示する３次元映像信号およびそれに同期する音声信号とする信号処理を行う３次元信号処理部１０７Ａを備えている。
【００２４】
３次元信号処理部１０７Ａは、制御部１２１からの制御信号に従って入力された映像信号を３次元表示させる場合には、１フレームに含まれる左眼用の画像と右眼用の画像との横幅（あるいは縦幅）を２倍に伸ばして、左眼用映像と右眼用映像とを生成し、これらが交互に表示されるように出力する。
【００２５】
また、３次元信号処理部１０７Ａは、制御部１２１からの制御信号に従って入力された３次元表示用の映像信号を２次元表示させる場合には、例えば１フレームに含まれる左眼用の画像の横幅（あるいは縦幅）を２倍に伸ばして、左眼用映像のみが表示されるように出力する。
【００２６】
グラフィック処理部１１２は、信号処理部１０７から供給されるデジタルの映像信号に、ＯＳＤ（On Screen Display）信号生成モジュール１１４で生成されるＯＳＤ信号を重畳して出力する機能を有する。また、このグラフィック処理部１１２は、信号処理部１０７の出力映像信号と、ＯＳＤ信号生成部１１４の出力ＯＳＤ信号とを選択的に出力すること、また、両出力を多重したり、画面の半分を構成するように組み合わせて出力することができる。
【００２７】
グラフィック処理部１１２から出力されたデジタルの映像信号は、映像処理部１１５に供給される。この映像処理部１１５は、入力されたデジタルの映像信号を、映像表示部１１７で表示可能なフォーマットのアナログ映像信号に変換し、映像表示部１１７に出力して映像表示させる。
【００２８】
上記音声処理部１１３は、入力されたデジタルの音声信号を、スピーカ１１６で再生可能なフォーマットのアナログ音声信号に変換し、スピーカ１１６に出力して音声再生させる。
【００２９】
ここで、この映像受信装置１００は、上記した各種の受信動作を含むその全ての動作を制御部１２１によって統括的に制御されている。
【００３０】
制御部１２１は、ＣＰＵ（Central Processing Unit）等を内蔵している。操作部１３１からの操作情報を受けたとき、または、リモートコントローラ１４０から送出された操作情報を受光部１４２から受信したとき、制御部１２１は、その操作内容が装置に反映されるように各部を統括して制御している。
【００３１】
この場合、制御部１２１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００３２】
制御部１２１は、カードＩ／Ｆ（Interface）１４５を介して、第１メモリカード１４７が装着可能なカードホルダ１４６に接続されている。これによって、制御部１２１は、カードホルダ１４６に装着された第１のメモリカード１４７と、カードＩ／Ｆ１４５を介して３次元表示用の映像信号であるか２次元表示用の映像信号であるかを示す識別子を含む映像信号等の情報の送受信を行なうことができる。制御部１２１は、図示していないが、さらに別のカードＩ／Ｆを介して、第２メモリカードが装着可能なカードホルダに接続されてもよい。
【００３３】
制御部１２１は明るさセンサー１４８に接続されている。これにより周囲の明るさ情報を取得し、例えば画面の明るさを自動制御することが可能である。
【００３４】
制御部１２１は、通信Ｉ／Ｆ１５１を介して第１ＬＡＮ端子１５２に接続されている。これにより、制御部１２１は、第１ＬＡＮ端子１５２に接続されたＬＡＮ対応のＨＤＤ（ハードディスクドライブ装置）と、通信Ｉ／Ｆ１５１を介して、例えばネットワークを介して提供されるコンテンツの、３次元表示用の映像信号であるか２次元表示用の映像信号であるかを示す識別子を含む映像信号等の情報の送受信を行なうことができる。この場合、制御部１２１は、ＤＨＣＰ（Dynamic Host Configuration Protocol）サーバ機能を有し、第１ＬＡＮ端子１５２に接続されたＬＡＮ対応のＨＤＤにＩＰ（Internet Protocol）アドレスを割り当てて制御している。制御部１２１は、図示していないがさらに別の通信Ｉ／Ｆを介して第２ＬＡＮ端子に接続されてもよい。
【００３５】
制御部１２１は、ＵＳＢ Ｉ／Ｆ１５３を介してＵＳＢ端子１５４に接続されている。これにより、制御部１２１は、ＵＳＢ端子１５４に接続された各機器と、ＵＳＢ Ｉ／Ｆ１５３を介して、例えばＤＶＤ等の記録媒体から提供されるコンテンツの、３次元表示用の映像信号であるか２次元表示用の映像信号であるかを示す識別子を含む映像信号等の情報の送受信を行なうことができる。
【００３６】
上記制御部１２１は、ｉ．Link（登録商標） Ｉ／Ｆ１５５を介してｉ．Link（登録商標）端子１５６に接続されている。これにより、制御部１２１は、ｉ．Link（登録商標）端子１５６に接続された各機器と、ｉ．Link（登録商標）Ｉ／Ｆ１５５を介して、３次元表示用の映像信号であるか２次元表示用の映像信号であるかを示す識別子を含む映像信号等の情報の送受信を行なうことができる。
【００３７】
上記制御部１２１は、ＨＤＭＩ（High Definition Multimedia Interface）規格に合致したＨＤＭＩ Ｉ／Ｆ１５７を介してＨＤＭＩ端子１５８に接続された各機器と、３次元表示用の映像信号であるか２次元表示用の映像信号であるかを示す識別子を含む映像信号等の情報の送受信を行なうことができる。
【００３８】
制御部１２１は、操作部１３１あるいは受光部１４２を介してリモートコントローラ１４０から供給される視聴者の指令に基づいて、３次元表示と２次元表示との表示方式を切り換える３次元設定部１２１Ａを有している。
【００３９】
３次元設定部１２１Ａは、視聴者のリモートコントローラ１４０等の操作に応じて２次元表示と３次元表示とを選択可能とする選択手段Ａ１を備え、３次元表示を行うときには、映像表示部１１７へ映像信号が出力されるタイミングに同期して発信部１０２へ左右識別信号１０２を出力する。
【００４０】
図３は、上記リモートコントローラ１４０の外観を示している。このリモートコントローラ１４０には、主として、電源キー１４０ａ、入力切換キー１４０ｂ、３Ｄキー１４０ｃ、設定メニューキー１４０ｄ、放送チャンネルのダイレクト選局キー１４０ｅ、カーソルキー１４０ｆ、決定キー１４０ｇ、番組表キー１４０ｈ、ページ切換キー１４０ｉ、タイムシフトキー１４０ｊ、戻るキー１４０ｋ、終了キー１４０ｌ、青，赤，緑，黄のカラーキー１４０ｍｂ、１４０ｍｒ、１４０ｍｇ、１４０ｍｙ、チャンネルアップダウンキー１４０ｎ、音量調整キー１４０ｏ等が設けられている。
【００４１】
続いて、上記映像受信装置の表示方式の設定および切換動作の一例について説明する。視聴者は、３次元表示の自動切換設定を行う場合、リモートコントローラ１４０の設定メニューキー１４０ｄを選択する。設定メニューキー１４０ｄが選択されると、制御部１２１は、ＯＳＤ信号生成部１１４を制御してメニュー画面を表示させる。視聴者がメニュー画面の中の項目から機能設定を選択すると、制御部１２１は、ＯＳＤ信号生成部１１４を制御して機能設定画面を表示する。視聴者が機能設定画面の中の項目から３Ｄ設定を選択すると、制御部１２１は、ＯＳＤ信号生成部１１４を制御して３Ｄ設定画面を表示する。
【００４２】
図４に、３Ｄ設定画面の一例を示す。３Ｄ設定画面には、「３Ｄ自動切換」、「３Ｄ視聴制限設定」、「３Ｄ暗証番号設定」、「３Ｄ暗証番号削除」、「３Ｄ注意表示」、および、「３Ｄ視聴時のご注意」の項目が表示される。視聴者がこれらの項目の中から「３Ｄ自動切換」を選択すると、制御部１２１は、ＯＳＤ信号生成部１１４を制御して３Ｄ自動切換画面を表示する。
【００４３】
図５に、３Ｄ自動切換画面の一例を示す。３Ｄ自動切換画面には、「３Ｄ」、「２Ｄ」、および、「オフ」の項目が表示される。「３Ｄ」が選択された場合、３次元設定部１２１Ａは３次元表示用の映像信号であることを示す識別子を検出した場合に自動的に３次元表示するように設定される。したがって、例えば番組の本編が３次元表示用の映像信号である識別子を含む映像信号であり、コマーシャルが２次元表示用の映像信号である識別子を含む映像信号である場合（又は３次元表示用の映像信号である識別子を含まない映像信号である場合）には、本編は３次元表示されコマーシャルは２次元表示される。
【００４４】
「２Ｄ」が選択された場合、３次元設定部１２１Ａは３次元表示用の映像信号であることを示す識別子を検出した場合に３次元表示用の映像信号を自動的に２次元表示し２次元表示用の映像信号を２次元表示するように設定される。したがって、例えば番組の本編が３次元表示用の映像信号である識別子を含む映像信号であり、コマーシャルが２次元表示用の映像信号である識別子を含む映像信号である場合には、本編もコマーシャルも２次元表示される。
【００４５】
「オフ」が選択された場合、３次元設定部１２１Ａは３次元表示用の映像信号であることを示す識別子が検出された場合に３次元表示するか２次元表示するかを選択する画面が表示されるように設定される。したがって、番組の本編が３次元表示用の映像信号である識別子を含む映像信号であり、コマーシャルが２次元表示用の映像信号である識別子を含む映像信号である場合には、本編を表示する前に３次元表示するか２次元表示するかを選択する画面が表示される。
【００４６】
図６に、３Ｄ自動切換画面の他の例を示す。図６に示す３Ｄ自動切換画面には、「オン」、および、「オフ」の項目が表示される。「オン」が選択された場合、３次元設定部１２１Ａは３次元表示用の映像信号であることを示す識別子を検出した場合に自動的に３次元表示するように設定される。したがって、例えば番組の本編が３次元表示用の映像信号である識別子を含む映像信号であり、コマーシャルが２次元表示用の映像信号である識別子を含む映像信号である場合には、本編は３次元表示されコマーシャルは２次元表示される。
【００４７】
「オフ」が選択された場合、３次元設定部１２１Ａは３次元表示用の映像信号であることを示す識別子が検出された場合に３次元表示するか２次元表示するかを選択する画面が表示されるように設定される。したがって、番組の本編が３次元表示用の映像信号である識別子を含む映像信号であり、コマーシャルが２次元表示用の映像信号である識別子を含む映像信号である場合には、本編を表示する前に３次元表示するか２次元表示するかを選択する画面が表示される。
【００４８】
また、「オフ」が選択された場合に、３次元設定部１２１Ａは３次元表示用の映像信号であることを示す識別子を検出した場合に３次元表示用の映像信号を自動的に２次元表示し２次元表示用の映像信号を２次元表示するように設定されてもよい。この場合、例えば番組の本編が３次元表示用の映像信号である識別子を含む映像信号であり、コマーシャルが２次元表示用の映像信号である識別子を含む映像信号である場合には、本編もコマーシャルも２次元表示される。
【００４９】
視聴者は番組視聴中に、リモートコントローラ１４０の３Ｄキー１４０ｃを選択することにより３次元表示と２次元表示とを切換ることが可能である。本実施形態に係る映像受信装置１００では、番組視聴中に視聴者が３Ｄキー１４０ｃを選択することにより３次元表示から２次元表示へ（あるいは２次元表示から３次元表示へ）切換えた場合、３次元自動切換画面において設定された表示設定に関わらず、番組が終了するまで２次元表示（あるいは３次元表示）を維持する。
【００５０】
すなわち、まず、３次元設定部１２１Ａは、３次元自動切換画面において設定された表示方式に従って映像信号を表示する（ステップＳＴＡ１）。図８では、例えば３次元自動切換画面において「３Ｄ」が選択され、自動的に３次元表示を行うように設定されている場合について示している。リモートコントローラ１４０の３Ｄキー１４０ｃが選択されると（ステップＳＴＡ２）、３次元設定部１２１Ａの選択手段Ａ１はＯＳＤ信号生成部１１４を制御して３Ｄメニューを表示させる（ステップＳＴＡ３）。
【００５１】
図７に３Ｄメニューの一例を示す。３Ｄメニューには、３Ｄアイコンと２Ｄ３Ｄアイコンと２Ｄアイコンとが表示される。視聴者はリモートコントローラ１４０のカーソルキー１４０ｆと決定キー１４０ｇとを使用していずれかのアイコンを選択することが出来る。
【００５２】
視聴者が３Ｄアイコンを選択すると３次元表示用の映像信号が３次元表示となり２次元表示用の映像信号が２次元表示となる。視聴者が２Ｄ３Ｄアイコンを選択すると２次元表示用の映像信号が３次元表示用に変換されて表示される。視聴者が２Ｄアイコンを選択すると３次元表示用の映像信号や２次元表示用の映像信号が２次元表示となる。
【００５３】
３次元設定部１２１Ａの選択手段Ａ１は、視聴者が２Ｄアイコンを選択したか否か判断する（ステップＳＴＡ４）。視聴者が２Ｄアイコンを選択した場合、３次元設定部１２１Ａは３次元表示用の映像信号である識別子を検出した場合には３次元表示用の映像信号を２次元表示し２次元表示用の映像信号である識別子を検出した場合には２次元表示するように信号処理部１０７を制御する（ステップＳＴＡ５）。
【００５４】
続いて、３次元設定部１２１Ａは、受信された映像信号から視聴者が視聴中のイベント（番組）が終了したか否か判断し（ステップＳＴＡ６）、番組が終了するまで３Ｄメニュー画面での３次元表示設定を維持する。
【００５５】
すなわち、映像信号は３次元表示用の映像信号であることを示す識別子を含む第１映像信号と、２次元表示用の映像信号であることを示す識別子を含む第２映像信号とを含んでいる場合、３次元自動切換画面において自動的に３次元表示を行うように設定され、ユーザ操作に応じて表示方式が２次元表示に切換えられた場合に、３次元設定部１１２Ａは第１映像信号および第２映像信号を２次元表示する。したがって、例えば番組の本編が３次元表示用の映像信号であることを示す識別子を含む映像信号であり、コマーシャルが２次元表示用の映像信号であることを示す識別子を含む映像信号である場合には、本編もコマーシャルも２次元表示される。さらに番組の本編に３次元表示用の映像信号であることを示す識別子を含む映像信号と、２次元表示用の映像信号であることを示す識別子を含む映像信号とが含まれる場合、本編は識別子に関わらず２次元表示される。
【００５６】
番組が終了した場合、およびステップＳＴＡ４で視聴者が「２Ｄ」を選択しなかった場合、３次元設定部１２１Ａは３次元自動切換画面において設定された表示方式で表示する。図８に示した例では自動的に３次元表示をする設定に戻る。従って、３次元設定部１２１Ａは、３次元表示用の映像信号であることを示す識別子が検出された場合に３自動的に３次元表示をし、２次元表示用の映像信号であることを示す識別子が検出された場合に２次元表示をするように信号処理部１０７を制御し、３次元信号処理部１０７Ａにより所定の信号処理が行われる。
【００５７】
ここで、３次元設定部１２１Ａは３次元表示用の映像信号を２次元表示している場合には、ＯＳＤ信号生成部１１４を制御して表示画面にその旨を表示し、設定変更により３次元表示が可能であることを視聴者に提示する。
【００５８】
また、３次元自動切換画面において３次元表示用の映像信号であることを示す識別子が検出された場合に自動的に３次元表示を行い、２次元表示用の映像信号であることを示す識別子が検出された場合に自動的に２次元表示を行うように設定されている場合に、視聴者が３Ｄメニューにおいて３Ｄアイコンを選択した場合には、３次元設定部１２１Ａは、３次元表示用の映像信号であることを示す識別子が検出された場合に自動的に３次元表示を行い、２次元表示用の映像信号であることを示す識別子が検出された場合に自動的に２次元表示を行うように信号処理部１０７の３次元信号処理部１０７Ａを制御し、番組が終了後も同様に識別子が検出された場合に自動的に３次元表示を行い、２次元表示用の映像信号であることを示す識別子が検出された場合に自動的に２次元表示を行うように信号処理部１０７を制御する。
【００５９】
また、３次元自動切換画面において３次元表示用の映像信号であることを示す識別子が検出された場合に自動的に３次元表示を行い、２次元表示用の映像信号であることを示す識別子が検出された場合に自動的に２次元表示を行うように設定されている場合に、視聴者が３Ｄメニューにおいて２Ｄ３Ｄアイコンを選択した場合には、３次元設定部１２１Ａは、３次元表示用の映像信号であることを示す識別子が検出された場合に自動的に３次元表示を行い、２次元表示用の映像信号であることを示す識別子が検出された場合に２次元表示用の映像信号から３次元表示用の映像信号を形成して３次元表示を行うように信号処理部１０７の３次元信号処理部１０７Ａを制御し、番組が終了後は３次元表示用の映像信号であることを示す識別子が検出された場合に自動的に３次元表示を行い、２次元表示用の映像信号であることを示す識別子が検出された場合に自動的に２次元表示を行うように信号処理部１０７を制御する。
【００６０】
また、３次元自動切換画面において識別子に関わらず自動的に２次元表示を行うように設定されている場合に、視聴者が３Ｄメニューにおいて３Ｄアイコンを選択した場合には、３次元設定部１２１Ａは、３次元表示用の映像信号であることを示す識別子を検出した場合に自動的に３次元表示をし、２次元表示用の映像信号であることを示す識別子を検出した場合に自動的に２次元表示を行うように信号処理部１０７の３次元信号処理部１０７Ａを制御し、番組が終了したら識別子に関わらず３次元表示用の映像信号および２次元表示用の映像信号を２次元表示するように信号処理部１０７を制御する。
【００６１】
すなわち、映像信号が３次元表示用の映像信号であることを示す識別子を含む第１映像信号と、２次元表示用の映像信号であることを示す識別子を含む第２映像信号とを含んでいる場合、３次元自動切換画面において自動的に２次元表示を行うように設定され、ユーザ操作に応じて表示方式が３次元表示に切換えられた場合に、３次元設定部１１２Ａは第１映像信号を３次元表示し、第２映像信号を２次元表示する。したがって、例えば番組の本編が３次元表示用の映像信号であることを示す識別子を含む映像信号であり、コマーシャルが２次元表示用の映像信号であることを示す識別子を含む映像信号である場合には、本編が３次元表示されコマーシャルが２次元表示される。さらに番組の本編に３次元表示用の映像信号であることを示す識別子を含む映像信号と、２次元表示用の映像信号であることを示す識別子を含む映像信号とが含まれる場合、本編の中で３次元表示用の映像信号であることを示す識別子が検出されたときに自動的に３次元表示され、２次元表示用の映像信号であることを示す識別子が検出されたときには自動的に２次元表示される。
【００６２】
また、３次元自動切換画面において識別子に関わらず自動的に２次元表示を行うように設定されている場合に、視聴者が３Ｄメニューにおいて２Ｄアイコンを選択した場合には、３次元設定部１２１Ａは、識別子に関わらず自動的に２次元表示を行うように信号処理部１０７の３次元信号処理部１０７Ａを制御し、番組が終了後も識別子に関わらず３次元表示用の映像信号および２次元表示用の映像信号を２次元表示するように信号処理部１０７を制御する。
【００６３】
また、３次元自動切換画面において識別子に関わらず自動的に２次元表示を行うように設定されている場合に、視聴者が３Ｄメニューにおいて２Ｄ３Ｄアイコンを選択した場合には、３次元設定部１２１Ａは、３次元表示用の映像信号であることを示す識別子が検出された場合に自動的に３次元表示又は２次元表示を行い、２次元表示用の映像信号であることを示す識別子が検出された場合に２次元表示用の映像信号から３次元表示用の映像信号を形成して３次元表示を行うように信号処理部１０７の３次元信号処理部１０７Ａを制御し、番組が終了後は識別子に関わらず３次元表示用の映像信号および２次元表示用の映像信号を２次元表示するように信号処理部１０７を制御する。
【００６４】
また、３次元自動切換画面において３次元表示用の自動切換がオフとなっている場合に、視聴者が３Ｄメニューにおいて３Ｄアイコンを選択した場合には、３次元設定部１２１Ａは、３次元表示用の映像信号であることを示す識別子が検出された場合に自動的に３次元表示を行い、２次元表示用の映像信号であることを示す識別子が検出された場合に自動的に２次元表示を行うように信号処理部１０７の３次元信号処理部１０７Ａを制御し、番組が終了後は、３次元表示用の映像信号であることを示す識別子が検出された場合に２次元表示を行うか３次元表示を行うか選択する画面を表示するようにＯＳＤ信号生成部１１４を制御し、表示した画面で選択された表示方式に従う。
【００６５】
また、３次元自動切換画面において３次元表示用の自動切換がオフとなっている場合に、視聴者が３Ｄメニューにおいて３Ｄアイコンを選択した場合には、３次元設定部１２１Ａは、３次元表示用の映像信号と２次元表示用の映像信号とを自動的に２次元表示を行うように信号処理部１０７の３次元信号処理部１０７Ａを制御し、番組が終了後は、３次元表示用の映像信号であることを示す識別子が検出された場合に２次元表示を行うか３次元表示を行うか選択する画面を表示するようにＯＳＤ信号生成部１１４を制御し、表示した画面で選択された表示方式に従う。
【００６６】
また、３次元自動切換画面において３次元表示用の自動切換がオフとなっている場合に、視聴者が３Ｄメニューにおいて２Ｄ３Ｄアイコンを選択した場合には、３次元設定部１２１Ａは、３次元表示用の映像信号であることを示す識別子が検出された場合に自動的に３次元表示又は２次元表示を行い、２次元表示用の映像信号であることを示す識別子が検出された場合に２次元表示用の映像信号から３次元表示用の映像信号を形成して３次元表示を行うように信号処理部１０７の３次元信号処理部１０７Ａを制御し、番組が終了後は、３次元表示用の映像信号であることを示す識別子が検出された場合に２次元表示を行うか３次元表示を行うか選択する画面を表示するようにＯＳＤ信号生成部１１４を制御し、表示した画面で選択された表示方式に従う。
【００６７】
上記のように、本実施形態に係る映像受信装置では、視聴者が３次元表示と２次元表示とを番組の視聴中に手動で切換えた場合に、視聴中の番組内では自動切換の設定に関わらず、視聴者が選択した表示を行う。したがって、視聴者が３次元の映像と２次元の映像とを交互に視聴することにより快適に視聴することが妨げられることを回避することが出来る。また、子供等の特定の視聴者が視聴する番組のみ３次元表示することを回避することが可能となる。
【００６８】
また、本実施形態の映像受信装置では同一番組内に限り３Ｄメニューでの設定が維持されるため、次の番組で３次元表示用の映像信号を受信した場合には３次元自動切換設定に従うため、視聴者の使い勝手も良好である。
【００６９】
すなわち、本実施形態に係る映像受信装置によれば、視聴者の意図を尊重した３次元表示と２次元表示との切り替えを実現し、より使い勝手のよい映像受信装置および表示方式切換方法を提供することができる。
【００７０】
なお、上記の実施形態の映像受信装置は、番組終了により視聴者が３Ｄメニューで設定した表示から自動切換設定に戻るように構成されていたが、視聴者がチャンネルを変更したことや電源オフしたことにより３Ｄメニューで設定した表示から自動切換の設定に戻るように構成されていてもよい。その場合であっても上述の実施形態と同様の効果を得ることが出来る。
【００７１】
また、上記映像受信装置は映像表示部およびスピーカを備えていたが、映像表示部およびスピーカは映像受信装置内に内臓されず外付けされるものであっても良い。その場合であっても上述の実施形態と同様の効果を得ることが出来る。
【００７２】
また、２次元表示用の映像信号である識別子を含む映像信号、３次元表示用の映像信号である識別子を含まない映像信号であってもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１００…映像受信装置、１０２…発信部、１０３…アンテナ、１０５…チューナ、１０６…ＰＳＫ復調器、１０７…信号処理部、１０７…信号処理モジュール、１０７Ａ…３次元信号処理部、１０８…アンテナ、１１０…チューナ、１１１…ＯＦＤＭ復調器、１１２…グラフィック処理部、１１３…音声処理部、１１４…ＯＳＤ信号生成部、１１５…映像処理部、１１６…スピーカ、１１７…映像表示部、１１８…アナログチューナ、１１９…アナログ復調器、１２１…制御部、１２１Ａ…３次元設定部、Ａ１…選択手段、１３１…操作部、１４０…リモートコントローラ、１４０ｃ…３Ｄキー、１４０ｄ…設定メニューキー、１４２…受光部、１４６…カードホルダ、１４７…メモリカード、１４８…センサー、１５２…ＬＡＮ端子、１５４…ＵＳＢ端子、１５６…端子、１５８…ＨＤＭＩ端子、２００…３Ｄ眼鏡、２０２…受信部。
【図１】
0005377731.tif 000002
【図２】
0005377731.tif 000003
【図３】
0005377731.tif 000004
【図４】
0005377731.tif 000005
【図５】
0005377731.tif 000006
【図６】
0005377731.tif 000007
【図７】
0005377731.tif 000008
【図８】
0005377731.tif 000009